(57)【要約】【課題】適切にプライバシーを確保しながらも開放感を得ることが可能な住宅を提供する。【解決手段】居室（１１）と、居室（１１）に隣接して設けられた中庭（１３）とを備える住宅であって、道路（２３）に面した間口領域（２２）と、居室（１１）外に設けられたデッキ（１６）上に屋外リビング（１２）を備え、屋外リビング（１２）は、間口領域（２２）と中庭（１３）の間に配置されており、間口領域（２２）から中庭（１３）まで連通した空間を形成している。【選択図】図１
2020117976.tif 000002
【特許請求の範囲】
【請求項１】
居室と、前記居室に隣接して設けられた中庭とを備える住宅であって、
道路に面した間口領域と、
前記居室外に設けられたデッキ上に屋外リビングを備え、
前記屋外リビングは、前記間口領域と前記中庭の間に配置されており、前記間口領域から前記中庭まで連通した空間を形成していることを特徴とする住宅。
【請求項２】
請求項１に記載の住宅であって、
前記屋外リビングには、前記居室上から屋根が延出して設けられていることを特徴とする住宅。
【請求項３】
請求項１または２に記載の住宅であって、
前記中庭および前記屋外リビングには、共通の壁部が設けられていることを特徴とする住宅。
【請求項４】
請求項１から３の何れか一つに記載の住宅であって、
前記デッキは、前記居室の床面と同じ高さに形成されていることを特徴とする住宅。
【発明の詳細な説明】
【技術分野】
【０００１】
本発明は、住宅に関し、特に中庭を備える住宅に関する。
【背景技術】
【０００２】
従来から居室内での開放感を得るために、中庭を備える間取りの住宅が数多く提案されている（例えば、特許文献１を参照）。このような中庭を備えた住宅では、居室内からの中庭の視認性を確保するとともに、敷地外から中庭や居室内が丸見えになることを防止するために、壁等を用いて視線を遮ってプライベート空間のプライバシーを確保している。
【先行技術文献】
【特許文献】
【０００３】
【特許文献１】特開２００４−１６２３２３号公報
【発明の概要】
【発明が解決しようとする課題】
【０００４】
しかし、従来から提案されている間取りでは、中庭と居室のプライバシー確保を重視すると、敷地外と中庭とが空間的に分離されて開放感を得ることが難しいという問題があった。
【０００５】
そこで本発明は、上記従来の問題点に鑑みなされたものであり、適切にプライバシーを確保しながらも開放感を得ることが可能な住宅を提供することを目的とする。
【課題を解決するための手段】
【０００６】
上記課題を解決するために、本発明の住宅は、居室と、前記居室に隣接して設けられた中庭とを備える住宅であって、道路に面した間口領域と、前記居室外に設けられたデッキ上に屋外リビングを備え、前記屋外リビングは、前記間口領域と前記中庭の間に配置されており、前記間口領域から前記中庭まで連通した空間を形成していることを特徴とする。
【０００７】
このような本発明の住宅では、間口領域と中庭の間に屋外リビングが配置され、連通した空間を形成していることで、中庭から間口までの空間の連続性や移動性が確保され、また、屋外リビングの存在により敷地外から中庭への視線を遮ることができ、適切にプライバシーを確保しながらも開放感を得ることが可能となる。
【０００８】
また本発明の一態様では、前記屋外リビングには、前記居室上から屋根が延出して設けられている。
【０００９】
また本発明の一態様では、前記中庭および前記屋外リビングには、共通の壁部が設けられている。
【００１０】
また本発明の一態様では、前記デッキは、前記居室の床面と同じ高さに形成されている。
【発明の効果】
【００１１】
本発明では、適切にプライバシーを確保しながらも開放感を得ることが可能な住宅を提供することができる。
【図面の簡単な説明】
【００１２】
【図１】第１実施形態における住宅の一階部分を模式的に示す平面図である。
【図２】第１実施形態における住宅の二階部分を模式的に示す平面図である。
【図３】屋外リビング１２から中庭１３方向を視認した様子を模式的に示す図である。
【図４】玄関土間１９から屋外リビング１２方向を視認した様子を模式的に示す図である。
【図５】島状デッキ１７から屋外リビング１２方向を視認した様子を模式的に示す図である。
【発明を実施するための形態】
【００１３】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。図２は、本実施形態における住宅の二階部分を模式的に示す平面図である。
【００１４】
図１に示すように、本実施形態の住宅は一階に居室１１と、屋外リビング１２と、中庭１３と、第１窓部１４ａと、第２窓部１４ｂと、壁部１５を備えている。また、中庭１３と居室１１との間にはデッキ１６が設けられ、デッキ１６と分離した島状デッキ１７が中庭１３内に設けられている。デッキ１６と島状デッキ１７の間には、中庭１３の地表面が部分的に露出しており、島状デッキ１７上にはテーブル等の家具１８が配置されている。また、住宅の玄関には玄関土間１９と玄関ホール２０と棚２１が設けられ、屋外リビング１２の外側には間口領域２２と道路２３が設けられている。
【００１５】
図２に示すように本実施形態の住宅は、二階に二階居室２４を備えている。二階居室２４は、住宅の二階部分において住宅を構成する壁面で区切られた空間であり、その窓からは中庭１３を鑑賞可能となっている。また、屋外リビング１２の上には屋根２６が設けられている。
【００１６】
居室１１は、住宅の一階部分において住宅を構成する壁面で区切られた空間であり、その一部に第１窓部１４ａと第２窓部１４ｂが設けられている。図１では、居室１１がリビングルームの例を示しているが、ダイニングルームやキッチン、書斎等の人が居住する空間であれば用途は限定されない。
【００１７】
屋外リビング１２は、居室１１の外部に設けられ、外気に開放された空間であり、デッキ１６の一部が延伸して敷設されており、家具１８が配置されることで屋外における居住空間を構成している。住宅において屋外リビング１２が設けられる位置は、間口領域２２と中庭１３の間であり、図１に示した例では玄関ホール２０の横である。屋外リビング１２と中庭１３の間には壁や間仕切りが設けられておらず、互いの空間が連通して自由に移動可能となっている。また、屋外リビング１２と間口領域２２との間には、少なくとも一部では通行可能に空間が連通している。したがって、間口領域２２から屋外リビング１２を経て中庭１３までは、連通した空間が形成されている。
【００１８】
中庭１３は、住宅の敷地内において外気に開放された空間である。中庭１３は第２窓部１４ｂと壁部１５に挟まれた位置に設けられている。中庭１３では、地表面は建造物で覆われず植栽が設けられて小規模な庭園を形成している。ここでは中庭１３として地表面が露出した庭園の例を示したが、ウッドデッキやインターロッキング等で地表を覆う形式の中庭であってもよい。
【００１９】
第１窓部１４ａは、居室１１の壁面の一部に設けられて屋外リビング１２に面する窓であり、居室１１内から屋外リビング１２を視認可能に仕切っている。第２窓部１４ｂは、居室１１の壁面の一部に設けられて中庭１３に面する窓であり、居室１１内から中庭１３を視認可能に仕切っている。第１窓部１４ａおよび第２窓部１４ｂの具体的構造は限定されないが、屋外リビング１２や中庭１３との空間の連続性や一体感を高めるためには掃出し窓が好ましい。
【００２０】
壁部１５は、住宅の外壁の一部が延長された壁であり、屋外リビング１２と中庭１３を挟んで第１窓部１４ａと第２窓部１４ｂに対向して設けられている。図１に示すように壁部１５は、敷地外と屋外リビング１２および中庭１３とを仕切り、敷地外から中庭１３および居室１１を視認できないように目隠ししている。また、図１に示した例では、壁部１５として住宅の外壁を延長した構造例を示したが、住宅の外壁とは独立して設けられた壁であってもよい。
【００２１】
デッキ１６は、中庭１３のうち屋外用の床材を敷設した略平坦な領域である。図１に示すようにデッキ１６は、居室１１の第1窓部１４ａと第２窓部１４ｂに隣接して、中庭１３を囲むように設けられている。玄関ホール２０に隣接する領域では、デッキ１６は第１窓部１４ａから壁部１５に至るまで形成されており、屋外リビング１２の床を構成している。
【００２２】
デッキ１６の高さは居室１１および玄関ホール２０の床レベルと同じであり、かつ第１窓部１４ａおよび第２窓部１４ｂを介して居室１１および玄関ホール２０と連続して一体の平面を構成している。デッキ１６の構造や材質は限定されないが、第１窓部１４ａおよび第２窓部１４ｂに隣接する床面と同様の仕上げを用いることで、居室１１と屋外リビング１２と中庭１３との空間の連続性が高まるため好ましい。図１に示したように中庭１３の周囲を囲むようにデッキ１６を設けると、中庭１３と居室１１との境界が曖昧になり、居室１１と中庭１３との空間の連続性をさらに高めることができる。
【００２３】
島状デッキ１７は、デッキ１６とは分離して形成された平坦面を有する領域であり、中庭１３内の地表面で囲まれて島状に配置されている。島状デッキ１７の構造や材質は限定されないが、デッキ１６と同様の構造と材質を用いることが好ましい。島状デッキ１７上には屋外用の椅子や机等の家具１８を配置して、中庭１３中にアウトドアダイニングを構成している。また、島状デッキ１７はデッキ１６と同等の高さに形成するとしてもよく、デッキ１６よりも高く形成するとしてもよい。島状デッキ１７の高さを地表面より高くすることで、地表面に浮いた島のような空間を演出することができる。
【００２４】
玄関土間１９は、住宅の正面玄関に設けられた土間である。玄関ホール２０は、玄関土間１９に隣接して居室１１と同じ床レベルの床が設けられた空間であり、居室１１の一部を構成している。棚２１は、玄関土間１９と居室１１の間に設けられた棚であり、玄関とリビングとの境界を構成している。間口領域２２は、住宅の敷地内において道路２３に面した空間であり、道路２３から玄関に至るまでの領域である。道路２３は、住宅の敷地に面した通行領域であり、車両や通行人が往来をする通常の公道や私道である。
【００２５】
屋根２６は、住宅の屋根の一部が延出されて屋外リビング１２上を覆っている。ここでは屋根２６として住宅の屋根の一部を用いた例を示したが、住宅と別体に屋根２６を設けるとしてもよい。また、屋外リビング１２上を覆って日照や降雨を遮ることができれば、バルコニーやピロティーなどの構造であってもよい。
【００２６】
図３は、屋外リビング１２から中庭１３方向を視認した様子を模式的に示す図である。屋外リビング１２にはテーブル３１やソファ３２，３３が配置されており、屋根２６の下で飲食や読書等をして過ごすことができる。中庭１３の周囲には屋外リビング１２から連続したデッキ１６が設けられており、第１窓部１４ａや第２窓部１４ｂを介して居室１１内への移動も可能となっている。屋外リビング１２からは中庭１３の植栽や、島状デッキ１７（図示省略）上に配置された家具１８を眺めることができる。また、屋外リビング１２と中庭１３には共通の壁部１５が設けられており、かつ両者間には遮るものがないため空間が連通し、オープンエアーな空間ではあるものの一続きの纏まった空間を構成して一体感と開放感が得られる。
【００２７】
また、屋外リビング１２と間口領域２２との間には少なくとも一部で通路が構成されており、両者間で空間が連通して自由に行き来することが可能である。これにより、道路２３から間口領域２２、屋外リビング１２を介して中庭１３まで移動することが可能であり、開放感をより高めることができる。このとき、道路２３から中庭１３方向を眺めた場合には、中庭１３よりも手前側に間口領域２２と屋外リビング１２が存在するため、中庭１３や居室１１内を直接視認することは困難であり、一定のプライバシーを確保しながらも開放感を得ることができる。
【００２８】
図４は、玄関土間１９から屋外リビング１２方向を視認した様子を模式的に示す図である。上述したように屋外リビング１２は、玄関ホール２０に隣接して設けられている。したがって玄関土間１９からは、玄関ホール２０と第１窓部１４ａを介して屋外リビング１２上のソファ３２，３３等の家具や、壁部１５、屋根２６を見渡すことができる。また、中庭１３も第１窓部１４ａと第２窓部１４ｂを介して見渡すことができる。
【００２９】
ここで、デッキ１６は第１窓部１４ａおよび第２窓部１４ｂに隣接して設けられ、居室１１の床面と同じ高さに形成され、居室１１や玄関ホール２０とデッキ１６とは連続して一体の平面を構成している。これにより、居室１１内と屋外リビング１２および中庭１３との境界が曖昧になり、居室１１と屋外リビング１２および中庭１３の空間の連続性を高めることができる。
【００３０】
図５は、島状デッキ１７から屋外リビング１２方向を視認した様子を模式的に示す図である。中庭１３と屋外リビング１２とは、間に遮るものがなく連通した空間を形成しており、さらに屋外リビング１２と間口領域２２（図示省略）との間には通路が形成されて連通した空間となっている。したがって図５に示すように、中庭１３からは屋外リビング１２を通して間口領域２２が視認可能となっている。一方で、屋外リビング１２の上には屋根２６が設けられており、間口領域２２との境界は明確であり、屋外リビング１２と中庭１３の一体感を確保しながらも、間口領域２２や道路２３からの視線を過剰に意識しないようにプライバシーを確保できる。
【００３１】
また、デッキ１６は中庭１３から屋外リビング１２にまで一体で連続して設けられることで、屋外リビング１２と中庭１３との空間の連続性と開放感を高めることができる。また、デッキ１６が第１窓部１４ａおよび第２窓部１４ｂに隣接して設けられ、居室１１内の床と同一高さで形成されていることで、居室１１内と屋外リビング１２および中庭１３の一体感と開放感を高めることができる。
【００３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００３３】
１１…居室
１２…屋外リビング
１３…中庭
１４ａ…第１窓部
１４ｂ…第２窓部
１５…壁部
１６…デッキ
１７…島状デッキ
１８…家具
１９…玄関土間
２０…玄関ホール
２１…棚
２２…間口領域
２３…道路
２４…二階居室
２６…屋根
３１…テーブル
３２…ソファ
【図１】
2020117976.tif 000003
【図２】
2020117976.tif 000004
【図３】
2020117976.tif 000005
【図４】
2020117976.tif 000006
【図５】
2020117976.tif 000007